(57)【特許請求の範囲】
【請求項１】
遊技盤を構成するベース板に対して前側から装着される前装着体と、
前記ベース板の背面側の所定位置に装着され且つ画像表示手段を支持する裏ベース体と、
前記ベース板の後側で前記裏ベース体に着脱可能に装着される後装着体とを備え、
前記前装着体に、遊技球が入球可能な入球口を設け、
前記後装着体に、前記入球口に入球した遊技球を前記遊技盤の後側に排出する排出通路を設けた
遊技機において、
前記前装着体又は前記後装着体に設けた位置決め凸部と、
前記後装着体又は前記前装着体に前記位置決め凸部に対応して設けた位置決め凹部とを備え、
前記位置決め凸部と前記位置決め凹部とを嵌め合わせることにより前記前装着体と前記後装着体とを位置決めする
ことを特徴とする遊技機。
【発明の詳細な説明】
【技術分野】
【０００１】
本発明は、パチンコ機、アレンジボール機等の遊技機に関するものである。
【背景技術】
【０００２】
パチンコ機等の遊技機は、前面側に遊技領域を有する遊技盤を備えている。この遊技盤は、ベニヤ板等よりなるベース板と、このベース板に装着されるガイドレール、各種ユニット部品、遊技釘等とにより構成されている。
ベース板に装着される各種ユニット部品の中には、ベース板に対して前側から装着される前装着体と、ベース板に対して後側から装着される後装着体とを備えた前後結合式ユニット部品が存在する（特許文献１参照）。この前後結合式ユニット部品をベース板に装着する際には、例えば先に前装着体を装着し、その前装着体に対して位置決めしつつ後装着体を装着するようになっている。
【先行技術文献】
【特許文献】
【０００３】
【特許文献１】特開２０１４−０７６０９５号公報
【発明の概要】
【発明が解決しようとする課題】
【０００４】
ところで、ベース板の背面側に、前後結合式ユニット部品を構成する後装着体を含む複数の部品を配置する場合、従来は組み立てラインにおいてそれら複数の部品を個別にベース板に装着していたため、組み立てラインでの作業工程が非常に煩雑であった。
本発明は上記事情に鑑みてなされたものであり、組み立てラインでの作業工程を簡素化することが可能な遊技機を提供することを目的とする。
【課題を解決するための手段】
【０００５】
本発明は、遊技盤５を構成するベース板１３に対して前側から装着される前装着体１８ａと、前記ベース板１３の背面側の所定位置に装着され且つ画像表示手段３５を支持する裏ベース体１９と、前記ベース板１３の後側で前記裏ベース体１９に着脱可能に装着される後装着体１８ｂとを備え、前記前装着体１８ａに、遊技球が入球可能な入球口７３，７４を設け、前記後装着体１８ｂに、前記入球口７３，７４に入球した遊技球を前記遊技盤５の後側に排出する排出通路８５，８７を設けた遊技機において、前記前装着体１８ａ又は前記後装着体１８ｂに設けた位置決め凸部９２ａ，９２ｂと、前記後装着体１８ｂ又は前記前装着体１８ａに前記位置決め凸部９２ａ，９２ｂに対応して設けた位置決め凹部７２ａ，７２ｂとを備え、前記位置決め凸部９２ａ，９２ｂと前記位置決め凹部７２ａ，７２ｂとを嵌め合わせることにより前記前装着体１８ａと前記後装着体１８ｂとを位置決めするように構成したものである。
また、遊技盤５を構成するベース板１３に対して前側から装着される前装着体１８ａと、前記ベース板１３の後側で支持手段５１により支持され且つ前記前装着体１８ａに対して位置決めされる後装着体１８ｂとを備え、前記前装着体１８ａに、遊技球が入球可能な入球口７３，７４を設け、前記後装着体１８ｂに、前記入球口７３，７４に入球した遊技球を前記遊技盤５の後側に排出する排出通路８５，８７を設けた遊技機において、前記ベース板１３の背面側の所定位置に装着され且つ画像表示手段３５を支持する裏ベース体１９を備え、前記後装着体１８ｂを前記裏ベース体１９に前記支持手段５１を介して着脱可能に装着してもよい。
また、前記支持手段５１に前記ベース板１３の板面に沿う方向の遊びを設けてもよい。この場合、前記支持手段５１は、前記後装着体１８ｂ又は前記裏ベース体１９に形成された前後方向の貫通孔９４ａ，１０６と、前記裏ベース体１９又は前記後装着体１８ｂに形成され且つ前記貫通孔９４ａ，１０６に対して一端側から他端側に向けて挿入される前後方向の挿入軸部１１６と、前記挿入軸部１１６の基部側に設けられ且つ前記貫通孔９４ａ，１０６の前記一端側の第１端面に略当接して前記挿入軸部１１６の前記貫通孔９４ａ，１０６に対する挿入方向への移動を規制する第１規制手段１１７と、前記貫通孔９４ａ，１０６の前記他端側から前記挿入軸部１１６の先端側に着脱可能に装着され且つ前記貫通孔９４ａ，１０６の前記他端側の第２端面に略当接して前記挿入軸部１１６の前記貫通孔９４ａ，１０６に対する抜け方向への移動を規制する第２規制手段１１８とを備え、前記挿入軸部１１６が前記貫通孔９４ａ，１０６に対して遊嵌され、前記挿入軸部１１６が前記貫通孔９４ａ，１０６内を前記ベース板１３の板面に沿う方向に一定範囲内で移動可能に構成してもよい。
前記前装着体１８ａは前記ベース板１３に対して位置決めされるように構成してもよい。また、前記前装着体１８ａ又は前記後装着体１８ｂに設けた位置決め凸部９２ａ，９２ｂと、前記後装着体１８ｂ又は前記前装着体１８ａに前記位置決め凸部９２ａ，９２ｂに対応して設けた位置決め凹部７２ａ，７２ｂとを備え、前記位置決め凸部９２ａ，９２ｂと前記位置決め凹部７２ａ，７２ｂとを前記ベース板１３の板厚範囲内で嵌め合わせることにより前記前装着体１８ａに対して前記後装着体１８ｂを位置決めするように構成してもよい。
【発明の効果】
【０００６】
本発明によれば、ベース板の裏側に装着する複数部品を事前に一体化することにより組み立てラインでの作業工程を簡素化することが可能となる。
【図面の簡単な説明】
【０００７】
【図１】本発明の一実施形態に係るパチンコ機の全体斜視図である。
【図２】同パチンコ機の遊技盤の正面図である。
【図３】同パチンコ機の遊技盤の分解斜視図である。
【図４】同パチンコ機の普通入賞ユニットの分解斜視図である。
【図５】同パチンコ機の普通入賞ユニットを構成する前装着体の分解斜視図である。
【図６】同パチンコ機の裏ベース体の要部拡大正面図である。
【図７】同パチンコ機の遊技盤の平面断面図である。
【図８】同パチンコ機の遊技盤の正面断面図である。
【図９】同パチンコ機の遊技盤の正面断面図である。
【図１０】同パチンコ機の遊技盤の側面断面図である。
【図１１】同パチンコ機の遊技盤の側面断面図である。
【図１２】同パチンコ機の遊技盤の側面断面図である。
【図１３】同パチンコ機の支持手段の拡大断面図である。
【発明を実施するための形態】
【０００８】
以下、本発明の実施形態を図面に基づいて詳述する。図１〜図１３は本発明をパチンコ機に採用した一実施形態を例示している。図１に示す遊技機本体１は、矩形状の外枠２と、この外枠２の前側にヒンジ３により縦軸廻りに開閉自在に枢着された前枠４とを備えている。
【０００９】
前枠４には、その上部側に遊技盤５（図２）が例えば前側から着脱自在に装着されている。また、前枠４の前側には、遊技盤５の前側に対応する第１前扉６と、この第１前扉６の下側に配置された第２前扉７とが、ヒンジ３と略同一軸心上のヒンジ８により縦軸廻りに開閉自在に枢支されている。なお、上下の第１前扉６と第２前扉７とを一体にして、一つの前扉とすることも可能である。
【００１０】
第２前扉７の前側には発射用の遊技球を貯留する球貯留皿９が配置され、その側方に、遊技球を発射する発射手段（図示省略）を作動させるための発射ハンドル１０が設けられている。第１前扉６には遊技盤５の遊技領域１１（図２参照）に対応するガラス窓１２が設けられ、遊技者はこのガラス窓１２を介して遊技領域１１内を視認可能である。
【００１１】
遊技盤５は、図２，図３に示すように、ベニヤ板等よりなる略矩形状のベース板１３を備え、そのベース板１３に、ガイドレール１４、中央表示枠１５、始動入賞ユニット１６、大入賞ユニット１７、普通入賞ユニット１８、裏ベース体１９等が配置されている。そして、例えば中央表示枠１５には普通図柄始動手段２１、普通図柄表示手段２２、第１特別図柄表示手段２３、第２特別図柄表示手段２４等が、始動入賞ユニット１６には第１特別図柄始動手段２６、第２特別図柄始動手段２７等が、大入賞ユニット１７には大入賞手段２８、第１普通入賞手段２９ａ等が、普通入賞ユニット１８には第２，第３普通入賞手段２９ｂ，２９ｃ等が夫々設けられている。
【００１２】
ガイドレール１４は、図２に示すように、遊技領域１１の外周側を取り囲むようにベース板１３の前面側に配置され、例えば３つの第１〜第３レール部材３１〜３３等により形成されている。第１レール部材３１は例えば金属製で、ベース板１３の下部左側から左縁部略中央、上縁部略中央を経て右上部まで正面視略円弧状に配置され、ベース板１３の前面側に略一定幅で立設されている。第２レール部材３２も例えば金属製で、ベース板１３の左上部から左下部にかけて第１レール部材３１の内側に並行するように略円弧状に配置され、ベース板１３の前面側に略一定幅で立設されている。これら第１レール部材３１と第２レール部材３２とで挟まれた部分が、発射手段によって発射された遊技球を遊技領域１１に案内する発射案内通路３４となっている。
【００１３】
第３レール部材３３は例えば合成樹脂製で、第１レール部材３１の右上部側端部と第２レール部材３２の左下部側端部とを接続するように、ベース板１３の右縁部と下縁部とに沿って前後方向略一定幅に形成され、ベース板１３の前面側に着脱自在に装着されている。なお、この第３レール部材３３の内側面３３ａがガイドレール１４の一部を構成している。また、第３レール部材３３には、遊技領域１１の最下流部、例えば左右方向略中央における下部側に対応してアウト口部材３０が例えば一体に設けられている。このアウト口部材３０は、第１アウト口３０ａを構成するもので、入賞手段に入賞することなく遊技領域１１の最下流部まで流下してきた遊技球はこの第１アウト口３０ａを経て遊技盤５の後側に排出されるようになっている。
【００１４】
中央表示枠１５は、液晶式、その他の画像表示手段３５の表示枠を構成するもので、例えば遊技領域１１の略中央に配置されており、ベース板１３に形成された前後方向貫通状の第１装着孔（図示省略）に対して前側から嵌め込まれ、ネジ止め等により着脱自在に固定されている。なお、画像表示手段３５は裏ベース体１９によりベース板１３の後側で支持されており、演出図柄表示手段３６等を構成している。
【００１５】
中央表示枠１５には、内部領域１５ａへの遊技球の侵入を阻止するための外周壁３８がその外周側の略全周にわたって形成されると共に、その内部領域１５ａの略中央には画像表示手段３５に対応する表示窓３９が形成されており、その表示窓３９の下部前側にはステージ４０が設けられ、また表示窓３９の側方等に普通図柄表示手段２２、第１特別図柄表示手段２３、第２特別図柄表示手段２４等の各種表示手段が配置されている。発射手段により発射され、発射案内通路３４を経て遊技領域１１の上部側に到達した遊技球は、中央表示枠１５の上端部で左右に振り分けられ、中央表示枠１５の左側の左側通路４１ａと右側の右側通路４１ｂとの何れかを流下する。
【００１６】
ステージ４０は、例えば外周壁３８の下部側の一部を構成しており、外周壁３８に設けられた入球口４２を経て内部領域１５ａ内に流入した遊技球を左右方向に転動させた後、左右方向略中央の中央落下部４３ａとその左右両側の側部落下部４３ｂとの何れかから内部領域１５ａの外側の遊技領域１１に落下させるようになっている。なお、入球口４２は中央表示枠１５の左右の少なくとも一方、例えば左側に配置されており、左側通路４１ａを流下してきた遊技球が流入可能となっている。
【００１７】
また、中央表示枠１５の例えば右側には、普通図柄始動手段２１が配置されている。普通図柄始動手段２１は、例えば通過する遊技球を検出可能な通過ゲート式で、例えば中央表示枠１５の台板４４に設けられており、右側通路４１ｂを流下してきた遊技球が通過可能となっている。なお、台板４４はベース板１３の前面に沿って外周壁３８の外側に向けて突設されている。
【００１８】
普通図柄始動手段２１が遊技球を検出すると、普通図柄表示手段２２により普通図柄の変動表示が行われる。普通図柄表示手段２２は、例えば複数個の普通図柄（例えば「○」「×」の２種類）に対応する複数個の発光体（例えばＬＥＤ）を備えており、普通図柄始動手段２１が遊技球を検出することに基づいてそれら複数の発光体が所定順序で発光するように点滅して、普通図柄始動手段２１による遊技球検出時に取得された普通乱数情報に含まれる当たり判定乱数値が予め定められた当たり判定値と一致する場合には当たり態様（所定態様）に対応する例えば「○」側の発光体が点灯し、それ以外の場合には外れ態様に対応する例えば「×」側の発光体が点灯して停止する。なお、変動後の普通図柄は１／１０程度の所定の確率で当たり態様となり、普通利益状態が発生する。また、普通図柄の始動検出は所定の上限数（例えば４）まで保留可能である。
【００１９】
第１特別図柄表示手段２３と第２特別図柄表示手段２４とは、夫々１個又は複数個、例えば各１個の第１，第２特別図柄を変動表示可能な７セグメント式等の表示手段により構成されている。そして、第１特別図柄表示手段２３は第１特別図柄始動手段２６に遊技球が入賞することを条件に、また第２特別図柄表示手段２４は第２特別図柄始動手段２７に遊技球が入賞することを条件に、夫々第１，第２特別図柄を所定時間変動表示して、第１，第２特別図柄始動手段２６，２７への遊技球入賞時に取得された大当たり判定乱数値が予め定められた大当たり判定値と一致する場合には所定の大当たり態様（特定態様）で、それ以外の場合には外れ態様で夫々停止するようになっている。
【００２０】
なお、変動後の第１特別図柄、第２特別図柄は、通常確率状態中は１／３５０等の通常確率で大当たり態様となり、特別利益状態が発生する。特別利益状態終了後には例えば所定の確率で高確率状態となり、第１特別図柄、第２特別図柄は１／３５等、通常確率よりも高確率で大当たり態様となる。また、第１特別図柄、第２特別図柄は、例えば一方が変動中の場合には他方は変動せず、特別利益状態中は何れも変動しない。また、各特別図柄の始動検出は所定の上限数（例えば４）まで保留可能であり、両方に１以上の保留がある場合には、第２特別図柄表示手段２４の図柄変動が優先する。
【００２１】
始動入賞ユニット１６は、例えば中央表示枠１５の下側で且つ第１アウト口３０ａの上側近傍に配置されており、ベース板１３に形成された前後方向貫通状の第２装着孔（図示省略）に対して前側から嵌め込まれ、ネジ止め等により着脱自在に固定されている。始動入賞ユニット１６には、第１特別図柄始動手段２６と第２特別図柄始動手段２７とが上下に隣接して配置されている。第１特別図柄始動手段２６は非開閉式で、中央落下部４３ａの下側に上向き開口状の第１特別始動口２６ａを備え、この第１特別始動口２６ａに入賞した遊技球を検出可能に構成されている。この第１特別図柄始動手段２６は右側通路４１ｂを流下する遊技球よりも左側通路４１ａを流下する遊技球の方が入賞し易くなっている。
【００２２】
第２特別図柄始動手段２７は開閉式で、例えば第１特別図柄始動手段２６の下側で略左右方向に開口する第２特別始動口２７ａと、この第２特別始動口２７ａを遊技球が入賞可能な開状態と入賞不可能な閉状態とに切り換え可能な例えば左右一対の開閉部材４５とを備え、第２特別始動口２７ａに入賞した遊技球を検出可能に構成されている。この第２特別図柄始動手段２７は、普通図柄表示手段２２の変動後の停止図柄が当たり態様で停止した場合に発生する普通利益状態において、開閉部材４５が所定の開閉パターンに従って左右方向外側に開放し、遊技球を内向きに案内して第２特別始動口２７ａに入賞させるようになっている。
【００２３】
大入賞ユニット１７は、例えば中央表示枠１５の下側で且つ始動入賞ユニット１６の右側に配置されており、ベース板１３に形成された前後方向貫通状の第３装着孔（図示省略）に対して前側から嵌め込まれ、ネジ止め等により着脱自在に固定されている。大入賞ユニット１７には、大入賞手段２８、第１普通入賞手段２９ａ、遊技球案内手段４６等が設けられている。
【００２４】
大入賞手段２８は開閉式で、例えば大入賞ユニット１７の上部側で且つ左右方向の略中央に前向き開口状に形成された大入賞口２８ａと、例えば下部側の横軸廻りに揺動して大入賞口２８ａを遊技球が入賞可能な開状態と入賞不可能な閉状態とに切り換え可能な開閉板４７とを備え、この大入賞口２８ａに入賞した遊技球を検出可能に構成されている。この大入賞手段２８は、第１特別図柄、第２特別図柄の何れかが大当たり態様で停止した場合に発生する特別利益状態において、開閉板４７が所定の開放パターンに従って前側に開放して後ろ下がりの傾斜状となり、遊技球を後向きに案内して大入賞口２８ａに入賞させるようになっている。
【００２５】
第１普通入賞手段２９ａは非開閉式で、大入賞手段２８に対して例えば左右方向の少なくとも一方側（ここでは右側）に上向き開口状の普通入賞口４８を備え、この普通入賞口４８に入賞した遊技球を検出可能に構成されている。
【００２６】
遊技球案内手段４６は、遊技球を左右方向の一方側（ここでは始動入賞ユニット１６側）に案内するもので、大入賞手段２８及び第１普通入賞手段２９ａの下側に例えば左下がりの傾斜状に形成されており、その下流端側は第１特別始動口２６ａよりも下側で第２特別始動口２７ａよりも上側に配置されている。
【００２７】
普通入賞ユニット１８は、例えば中央表示枠１５の下側で且つ始動入賞ユニット１６の左側にガイドレール１４に沿って配置されており、例えば二つの第２，第３普通入賞手段２９ｂ，２９ｃと二つの第２，第３アウト口４９，５０とを備え、図３，図４等に示すように、ベース板１３に対して前側から装着される前装着体１８ａと、ベース板１３の後側に配置される後装着体１８ｂとで構成されている。後装着体１８ｂは、図３等に示すように支持手段５１を介して裏ベース体１９に支持されると共に、位置決め手段５２により前装着体１８ａに対して位置決めされている。
【００２８】
前装着体１８ａは、図４，図５，図７〜図１２に示すように、ベース板１３に形成された前後方向貫通状の第４装着孔５３に対して前側から装着される前ベース部材５４と、この前ベース部材５４の前側に着脱自在に装着される入球口部材５５とを備えている。
【００２９】
前ベース部材５４は、第４装着孔５３を前側から略塞ぐようにベース板１３の前面側に沿って配置される前台板５６と、この前台板５６の背面から第４装着孔５３内に向けて後向きに突設された装着孔挿入部５７とを例えば一体に備え、装着孔挿入部５７を第４装着孔５３に前側から挿入し、前台板５６をベース板１３の前面に当接させた状態で例えばネジ止めによりベース板１３に固定されている。
【００３０】
前台板５６は、その下縁側がガイドレール１４の内面側に沿って略円弧状に形成されており、その上流端側から下流端側に向けて一列状に配置された複数、例えば４つの前開口部５８〜６１を備えている。それら４つの前開口部５８〜６１は、何れも遊技球が通過可能な大きさに形成されている。また、それら前開口部５８〜６１よりも更に上流側には、ガイドレール１４に沿って流下する遊技球を遊技領域１１の内側に向けて案内する傾斜案内部６２が、前台板５６の前面側に例えば一体に突設されている。傾斜案内部６２は、例えば略板状で、その左右方向の一端側（ここでは左端側）がガイドレール１４に当接又は近接すると共に他端側（ここでは右端側）が低い緩やかな傾斜状に形成されている。また前台板５６には、ベース板１３への固定用のネジ止め孔６３、入球口部材５５を位置決めするための位置決め凹部６４、入球口部材５５をネジ止め固定するためのネジ止め孔６５等が夫々複数形成されると共に、背面側には、ベース板１３の前面側に形成された位置決め凹部６６ｂに対応する位置決め凸部６６ａが複数形成されている。
【００３１】
装着孔挿入部５７は、例えば第４装着孔５３の内面側に沿って配置される周壁６７と、その周壁６７の内側に配置され且つ前開口部５８〜６１の後側に夫々対応する４つの後案内通路６８〜７１と、同じく周壁６７の内側に配置され且つ位置決め手段５２を構成する複数、例えば２つの位置決め凹部７２ａ，７２ｂとを備え、その前後幅はベース板１３の板厚と略一致している（図７等）。後案内通路６８〜７１は略前後方向に形成されると共に後端側が後向きに開口しており、遊技球を後向きに案内するための後ろ下がりの遊技球案内部６８ａ〜７１ａが例えば底面上に突設されている。
【００３２】
位置決め凹部７２ａ，７２ｂは、装着孔挿入部５７の後端側に前向き凹入状に形成されており、例えば位置決め凹部７２ａは後案内通路６８，６９と周壁６７との間に、位置決め凹部７２ｂは後案内通路７０，７１と周壁６７との間に夫々形成されている。
【００３３】
入球口部材５５は、前台板５６の前側に略平行に配置される前飾り板５５ａと、前開口部５８〜６１の前側に対応して前飾り板５５ａの後側に配置される第２アウト口４９、第２普通入賞口７３、第３アウト口５０、第３普通入賞口７４とを備えている。
【００３４】
第２普通入賞口７３は、前開口部５９、後案内通路６９等と共に第２普通入賞手段２９ｂを構成するもので、略上向きに開口する樋状に形成され、入賞した遊技球を後側の前開口部５９に案内するための後ろ下がりの遊技球案内部７３ａが例えば底面上に突設されている。第３普通入賞口７４は、前開口部６１、後案内通路７１等と共に第３普通入賞手段２９ｃを構成するもので、略右向きに開口する樋状に形成され、入賞した遊技球を後側の前開口部６１に案内するための後ろ下がりの遊技球案内部７４ａが例えば底面上に突設されている。
【００３５】
第２アウト口４９は、第２普通入賞口７３の上流側に隣接して配置され、略上向きに開口する樋状に形成されており、入球した遊技球を後側の前開口部５８に案内するための後ろ下がりの遊技球案内部４９ａが例えば底面上に突設されている。第３アウト口５０は、第２普通入賞口７３と第３普通入賞口７４との間に配置され、略上向きに開口する樋状に形成されており、入球した遊技球を後側の前開口部６０に案内するための後ろ下がりの遊技球案内部５０ａが例えば底面上に突設されている。
【００３６】
また、前飾り板５５ａには、傾斜案内部６２の前端面６２ａに対応してその前側に配置される案内部前カバー７５が例えば一体に設けられている。また、前飾り板５５ａの背面側には、傾斜案内部６２の下面６２ｂに沿って配置される案内部下カバー７６が例えば一体に突設されている。図１２等に示すように、傾斜案内部６２の前端面６２ａと案内部前カバー７５との間には若干の隙間Ｌｘが設けられ、また図８等に示すように、傾斜案内部６２の下面６２ｂと案内部下カバー７６との間にも若干の隙間Ｌｙが設けられている。これにより、傾斜案内部６２上に遊技球が衝突した場合に傾斜案内部６２は案内部下カバー７６に当接することなく前端側が下向きに弾性変形することにより衝撃を和らげることができ、しかもその際に傾斜案内部６２の前端面６２ａは案内部前カバー７５と接触していないため、摩擦によって表面が削れることがなく、長期間使用しても粉状物の発生により周囲を汚すことがないという利点がある。
【００３７】
また、入球口部材５５の後部側には、前ベース部材５４側の位置決め凹部６４に対応する位置決め凸部７７、前ベース部材５４側のネジ止め孔６５に対応するネジ止め基部７８が夫々複数設けられている。入球口部材５５は、位置決め凸部７７を位置決め凹部６４に嵌め込んだ状態で例えば前ベース部材５４の後側からネジ止め孔６５を介してネジ止め基部７８にネジ止めすることにより前ベース部材５４に対して着脱自在に固定されている。なお、位置決め凸部７７とネジ止め基部７８とは、第２普通入賞口７３、第３普通入賞口７４又はその近傍、及び案内部下カバー７６又はその近傍に配置されている。
【００３８】
後装着体１８ｂは、図４〜図１２に示すように、裏ベース体１９に対して前側から装着される後ベース部材８１と、この後ベース部材８１の後側に着脱自在に装着される後カバー部材８２とを備えている。後ベース部材８１は、ベース板１３の背面側に沿って配置される後台板８３と、この後台板８３の後側に配置され且つ後案内通路６８〜７１により案内されてきた遊技球を遊技盤５の後側に排出するための排出通路８４〜８７とを備えている。
【００３９】
後台板８３は、例えば第４装着孔５３を後側から略塞ぐ大きさ及び形状に形成されており、後案内通路６８〜７１と排出通路８４〜８７とを夫々接続するための後開口部８８〜９１と、位置決め凹部７２ａ，７２ｂと共に位置決め手段５２を構成する複数、例えば２つの位置決め凸部９２ａ，９２ｂと、支持手段５１を構成する複数、例えば３つの被支持部９３ａ〜９３ｃとを備えている。
【００４０】
位置決め凸部９２ａ，９２ｂは、位置決め凹部７２ａ，７２ｂに対応して後台板８３の前面側から前向きに突設されている。位置決め凸部９２ａ，９２ｂが位置決め凹部７２ａ，７２ｂに後側から挿入されることにより、前装着体１８ａと後装着体１８ｂとがベース板１３の板面に沿う方向に相対的に位置決めされる。なお、位置決め凸部９２ａ，９２ｂは、位置決め凹部７２ａ，７２ｂへの挿入の際に若干の軸ずれがあった場合でも位置決め凹部７２ａ，７２ｂ内に案内されるように、例えばその前端側の縁部が面取りされることにより先端部が先細り状に形成されている。
【００４１】
被支持部９３ａ〜９３ｃは、例えば後台板８３の外縁部近傍に配置されており、後台板８３から後向きに突設された例えば円筒状の筒状部９４と、この筒状部９４に対応して後台板８３の前面側に例えば正面視円形の凹入状に形成されたネジ止め凹部９５とを備えている。図７，図１０〜図１３に示すように、筒状部９４の内孔（貫通孔）９４ａは後台板８３を貫通し、その前端側がネジ止め凹部９５の底面９５ａで前向きに開口している。即ち、ネジ止め凹部９５は筒状部９４の内孔９４ａよりも大径に形成されている。
【００４２】
なお、図５，図６に示すように後台板８３にはネジ止め固定部９６が複数設けられており、このネジ止め固定部９６を用いてベース板１３に直接ネジ止めすることが可能となっているが、本実施形態の後装着体１８ｂは被支持部９３ａ〜９３ｃを含む支持手段５１により裏ベース体１９側に固定されているため、ネジ止め固定部９６は用いられていない。
【００４３】
排出通路８４〜８７は、その上流端側が後開口部８８〜９１に連通し、下流端側が例えば後カバー部材８２に形成された１又は複数、例えば３つの排出口９７〜９９の何れかに連通している。また、第２普通入賞手段２９ｂを構成する排出通路８５、第３普通入賞手段２９ｃを構成する排出通路８７には、遊技球を検出する近接スイッチ等よりなる遊技球検出手段１０１，１０２が配置されている。
【００４４】
後カバー部材８２は、前側が開放した略箱形に形成されており、排出通路８４〜８７、遊技球検出手段１０１，１０２等を後側から略覆うように、後ベース部材８１の背面側にネジ止め等により着脱自在に装着されている。後カバー部材８２の背壁１０３には、例えば下部側に排出口９７〜９９が形成され、上部側には後向きの膨出部１０３ａが形成されており、その膨出部１０３ａ内には、例えば前面側にＬＥＤ１０４を有する発光基板１０５が配置されている。
【００４５】
また後カバー部材８２は、図１２に示すように、被支持部９３ａ〜９３ｃのうちの少なくとも１つ、例えば被支持部９３ｃを後側から覆うように装着されると共に、背壁１０３には、被支持部９３ｃの後側に対応する例えば円形の挿通孔１０６が形成されている。この挿通孔１０６は、被支持部９３ｃにおける筒状部９４の内孔９４ａと略同径に形成されている。
【００４６】
裏ベース体１９は、図３等に示すように、遊技領域１１の略全体を後側から覆うようにベース板１３の裏側に装着されており、ベース板１３と略平行な略矩形状に形成された背壁１０７と、この背壁１０７の外縁部からベース板１３の背面側まで前向きに縁設された外周壁１０８と、この外周壁１０８の前縁側にベース板１３の背面側に沿って一体に形成された固定板１０９とを一体に備えている。
【００４７】
固定板１０９の前面側には、ベース板１３の背面側の位置決め凹部１１１ｂに対応する位置決め凸部１１１ａが形成されており、裏ベース体１９は、位置決め凸部１１１ａを位置決め凹部１１１ｂに後側から嵌め込んだ状態で、例えば固定板１０９をベース板１３にネジ止めすることによりベース板１３に着脱自在に固定されている。
【００４８】
裏ベース体１９の背壁１０７には、例えばその上部側に略矩形状の表示用開口部１１２が形成されており、画像表示手段３５はその表示画面３５ａを表示用開口部１１２に対応させた状態で背壁１０７の背面側に着脱自在に固定されている。
【００４９】
また、裏ベース体１９内には、普通入賞ユニット１８の後側に対応して、支持手段５１を構成する複数、例えば３つの支持部１１３ａ〜１１３ｃが設けられる他、可動体等の各種ユニット（図示省略）が着脱自在に装着可能となっている。支持部１１３ａ〜１１３ｃは、被支持部９３ａ〜９３ｃに対応するもので、例えば裏ベース体１９内の下部左側で、例えば背壁１０７から前向きに突設された基台１１４ａ〜１１４ｃの前側に一体に形成されており、図７，図１０〜図１２に示すように、前端側にねじ穴１１５が形成され且つ被支持部９３ａ〜９３ｃにおける筒状部９４の内孔（貫通孔）９４ａ（被支持部９３ｃについては挿通孔（貫通孔）１０６及び内孔９４ａ）に後側から挿入される例えば断面円形状の挿入軸部１１６と、この挿入軸部１１６の基部側（後端部側）に形成され且つ挿入軸部１１６の半径方向に拡幅する拡幅部（第１規制手段）１１７とを例えば一体に備えている。
【００５０】
挿入軸部１１６は、被支持部９３ａ〜９３ｃの筒状部９４及び被支持部９３ｃの挿通孔１０６よりも小径で、それら筒状部９４及び挿通孔１０６に対して一定の遊びを有するように遊嵌されている。また拡幅部１１７は、その前面側が、被支持部９３ａ，９３ｂについては筒状部９４の後端面に、被支持部９３ｃについては挿通孔１０６の後端面に夫々摺動自在に略当接（当接又は近接）している。
【００５１】
挿入軸部１１６のねじ穴１１５には、ネジ止め凹部９５の前側から固定ネジ（第２規制手段）１１８がねじ込まれている。固定ネジ１１８は、被支持部９３ａ〜９３ｃ、支持部１１３ａ〜１１３ｃと共に支持手段５１を構成するもので、頭部１１８ａ側に、例えば頭部１１８ａよりも大径の鍔部１１８ｂを例えば一体に備えている。鍔部１１８ｂは、内孔９４ａよりも大径で且つネジ止め凹部９５よりも小径に形成されており、内孔９４ａの外側でネジ止め凹部９５の底面９５ａに略当接している。なお、固定ネジ１１８の頭部１１８ａは、後台板８３の前面側よりも前側に突出しないようにネジ止め凹部９５内に収容されている。
【００５２】
普通入賞ユニット１８の後装着体１８ｂは、図３に示すように裏ベース体１９がベース板１３に装着される前に予め裏ベース体１９に装着される。即ち、支持部１１３ａ，１１３ｂの挿入軸部１１６を被支持部９３ａ，９３ｂに、また支持部１１３ｃの挿入軸部１１６を後カバー部材８２の挿通孔１０６を介して被支持部９３ｃに、夫々後側から挿入し、固定ネジ１１８を、被支持部９３ａ〜９３ｃの各ネジ止め凹部９５を介して支持部１１３ａ〜１１３ｃのねじ穴１１５に前側からねじ込むことにより、後装着体１８ｂを裏ベース体１９に装着する。
【００５３】
このとき、図１３等に示すように、固定ネジ（第２規制手段）１１８の鍔部１１８ｂが、被支持部９３ａ〜９３ｃにおけるネジ止め凹部９５の底面（第２端面）９５ａに前側から略当接し、また支持部１１３ａ〜１１３ｃの拡幅部（第１規制部）１１７が、被支持部９３ａ，９３ｂについては筒状部９４の後端面（第１端面）に、被支持部９３ｃについては挿通孔１０６の後端面（第１端面）に夫々略当接するため、後装着体１８ｂは裏ベース体１９に対して前後方向移動が略規制された状態となる。一方、挿入軸部１１６は筒状部９４の内孔９４ａ及び挿通孔１０６よりも小径で、且つ固定ネジ１１８の鍔部１１８ｂはネジ止め凹部９５よりも小径であるため、被支持部９３ａ〜９３ｃ側は支持部１１３ａ〜１１３ｃ側に対してベース板１３の板面に沿う方向に一定範囲内で相対移動可能であり（図１３に実線と二点鎖線とで示す）、後装着体１８ｂは裏ベース体１９に対して、ベース板１３の板面に沿う方向については一定の遊びを持った状態で支持される。
【００５４】
遊技盤５の組み立て工程では、例えばガイドレール１４や遊技釘が装着された状態のベース板１３に対して、中央表示枠１５、始動入賞ユニット１６、大入賞ユニット１７、普通入賞ユニット１８の前装着体１８ａ等が前側から装着され、所定位置に位置決めされた状態でネジ止め等により固定される。そしてその後に、普通入賞ユニット１８の後装着体１８ｂ等が予め装着された状態の裏ベース体１９がベース板１３の裏面側に装着される。
【００５５】
このとき、後装着体１８ｂは、位置決め凸部９２ａ，９２ｂを前装着体１８ａ側の位置決め凹部７２ａ，７２ｂに後側から嵌合させることにより前装着体１８ａに対して位置決めされるのに対し、裏ベース体１９は、位置決め凸部１１１ａをベース板１３側の位置決め凹部１１１ｂに嵌合させることによりベース板１３に対して位置決めされるが、上述したように後装着体１８ｂは裏ベース体１９によりベース板１３の板面に沿う方向に遊びを持った状態で支持されていることにより、後装着体１８ｂは裏ベース体１９に対して一定範囲内で自由に相対移動可能であり、例えば後装着体１８ｂと裏ベース体１９とを夫々前装着体１８ａとベース板１３とに対して正確に位置決め可能である。
【００５６】
以上説明したように、本実施形態のパチンコ機では、遊技盤５を構成するベース板１３に対して前側から装着され且つベース板１３に対して位置決めされる前装着体１８ａと、ベース板１３の後側で支持手段５１により支持され且つ前装着体１８ａに対して位置決めされる後装着体１８ｂとを備えた普通入賞ユニット１８を備え、後装着体１８ｂを、ベース板１３の背面側に装着される裏ベース体１９に対して支持手段５１を介して着脱可能に装着し、支持手段５１にベース板１３の板面に沿う方向の遊びを設けているため、後装着体１８ｂと裏ベース体１９とを事前に一体化することにより組み立て工程を簡素化することができると共に、後装着体１８ｂを前装着体１８ａに対して最適位置に容易且つ確実に位置決めすることが可能である。
【００５７】
以上、本発明の実施形態について詳述したが、本発明はこれらの実施形態に限定されるものではなく、本発明の趣旨を逸脱しない範囲で種々の変更が可能である。例えば、支持手段５１により後装着体１８ｂを装着する対象は、ベース板１３の背面側に装着されるものであれば裏ベース体１９に限られるものではなく、例えばその他のユニットを構成する後装着体や、後装着体１８ｂ専用に設けた裏ベース体でもよい。
【００５８】
支持手段５１については、例えば実施形態で後装着体１８ｂ側に設けた被支持部９３ａ〜９３ｃと同様の構成を裏ベース体１９側に設け、裏ベース体１９側に設けた支持部１１３ａ〜１１３ｃと同様の構成を後装着体１８ｂ側に設けてもよい。
【００５９】
前装着体と後装着体とで構成されるユニットは普通入賞ユニットに限られるものではなく、始動入賞手段を備えた始動入賞ユニット、大入賞手段を備えた大入賞ユニットの他、始動手段を有しないランプユニット等でもよい。
【００６０】
また本発明は、パチンコ機に限らず、アレンジボール機、雀球遊技機、スロットマシン等の各種遊技機において同様に実施することが可能である。
【符号の説明】
【００６１】
５    遊技盤
１３    ベース板
１８ａ  前装着体
１８ｂ  後装着体
１９    裏ベース体
３５    画像表示手段
５１    支持手段
７２ａ  位置決め凹部
７２ｂ  位置決め凹部
７３    第２普通入賞口（入球口）
７４    第３普通入賞口（入球口）
８５    排出通路
８７    排出通路
９２ａ  位置決め凸部
９２ｂ  位置決め凸部
９４ａ  内孔（貫通孔）
１０６    挿通孔（貫通孔）
１１６    挿入軸部
１１７    拡幅部（第１規制手段）
１１８    固定ネジ（第２規制手段）
【要約】
【課題】組み立てラインでの作業工程を簡素化することが可能な遊技機を提供する。
【解決手段】遊技盤５を構成するベース板１３に対して前側から装着される前装着体１８ａと、ベース板１３の後側で支持手段５１により支持され且つ前装着体１８ａに対して位置決めされる後装着体１８ｂとを備え、前装着体１８ａに、遊技球が入球可能な入球口を設け、後装着体１８ｂに、入球口に入球した遊技球を遊技盤５の後側に排出する排出通路を設けた遊技機で、ベース板１３の背面側の所定位置に装着され且つ画像表示手段３５を支持する裏ベース体１９を備え、後装着体１８ｂを裏ベース体１９に支持手段５１を介して着脱可能に装着したものである。
【選択図】図３【図１】
0005989178.tif 000002
【図２】
0005989178.tif 000003
【図３】
0005989178.tif 000004
【図４】
0005989178.tif 000005
【図５】
0005989178.tif 000006
【図６】
0005989178.tif 000007
【図７】
0005989178.tif 000008
【図８】
0005989178.tif 000009
【図９】
0005989178.tif 000010
【図１０】
0005989178.tif 000011
【図１１】
0005989178.tif 000012
【図１２】
0005989178.tif 000013
【図１３】
0005989178.tif 000014